(57)【要約】【課題】装置本体に対する負荷を軽減すること。【解決手段】ミスト放出口２１を覆うように開閉可能なノズルガード２６には、ミスト放出口２１とは別に排気口２６ｅを形成するとともに、前方リブ２６ｂ、各側方リブ２６ｃ、及び排気凹部２６ｄを設け、ノズルガード２６を閉位置に位置させた状態において、ミスト放出口２１から放出される温ミストを排気口２６ｅから排出させるようにした。【選択図】図４
2011200569.tif 000002
【特許請求の範囲】
【請求項１】
液体からミストを発生するミスト発生機構と、前記ミスト発生機構で発生したミストを放出するミスト放出口と、前記ミスト放出口を覆うように開閉可能な開閉部材とを備えたミスト発生装置において、
前記開閉部材が閉じられて前記ミスト放出口が前記開閉部材に覆われた場合に、前記ミスト放出口から放出されるミストを前記ミスト放出口とは異なるミスト排出口から排出するミスト排出手段を備えたことを特徴とするミスト発生装置。
【請求項２】
前記ミスト排出手段は、前記ミスト放出口から放出されるミストの進行方向を前記ミスト排出口へ向けるミスト誘導手段を有することを特徴とする請求項１に記載のミスト発生装置。
【請求項３】
前記ミスト誘導手段は、前記開閉部材が閉じられた場合に前記ミスト放出口から放出されるミストの放出方向を遮るとともに前記ミストの進行方向を前記ミスト排出口へ向ける遮蔽壁であることを特徴とする請求項２に記載のミスト発生装置。
【請求項４】
前記ミストの排出方向は、使用者に向かう方向とは異なる方向であることを特徴とする請求項１〜請求項３のうち何れか一項に記載のミスト発生装置。
【請求項５】
前記ミスト誘導手段は、前記開閉部材が閉じられた場合に前記ミスト放出口の側方を覆う側方壁を有することを特徴とする請求項２〜請求項４のうち何れか一項に記載のミスト発生装置。
【請求項６】
前記ミスト排出口は、装置本体において前記ミスト放出口よりも使用者からみて後方に配設されていることを特徴とする請求項１〜請求項５のうち何れか一項に記載のミスト発生装置。
【請求項７】
前記ミスト排出手段は、前記ミスト放出口から放出されるミストを前記ミスト排出口へ誘導するミスト排出経路を有し、
前記ミスト排出経路は、前記開閉部材が閉じられた場合に、装置本体を覆うケース部材と前記開閉部材との間に形成されることを特徴とする請求項１〜請求項６のうち何れか一項に記載のミスト発生装置。
【請求項８】
ミストを放出して肌表面の手入れを行う美容装置において、
請求項１〜請求項７のうち何れか一項に記載のミスト発生装置を備えたことを特徴とする美容装置。
【発明の詳細な説明】
【技術分野】
【０００１】
本発明は、ミスト発生装置、及びミスト発生装置を備えた美容装置に関するものである。
【背景技術】
【０００２】
従来、ミスト発生装置は、液体をヒータにて沸騰させたり超音波にて霧化させたりして発生させた温ミストをミスト放出口から顔など人体に向けて放出することで、肌に潤いを与えるなどの美容効果や肌ケアを目的とした装置として用いられている。このようなミスト発生装置において、使用者の手指がミスト放出口に接近することを抑制するノズルガードを備えたミスト発生装置が提案されている（例えば、特許文献１）。
【０００３】
特許文献１のミスト発生装置では、ミスト放出口の上方から使用者の手指が接近した場合、使用者の手指によってノズルガードが下方に回動するとともに、このノズルガードに設けられた遮蔽部によってミスト放出口を覆うようになっている。このため、特許文献１のミスト発生装置では、使用者の手指がミスト放出口に接近した場合に、使用者の手指がミスト放出口に近接した位置でミストに触れてしまうことを抑制している。
【先行技術文献】
【特許文献】
【０００４】
【特許文献１】特開２００９−２３２９３９号公報
【発明の概要】
【発明が解決しようとする課題】
【０００５】
しかしながら、特許文献１のミスト発生装置では、ミスト放出口が遮蔽部で覆われることに伴ってミスト発生装置に負荷を与えてしまう可能性がある。
この発明は、上記従来技術に存在する課題を解決するためになされたものであって、その目的は、装置本体に対する負荷を軽減できるミスト発生装置及び美容装置を提供することにある。
【課題を解決するための手段】
【０００６】
上記課題を解決するために、第１の発明は、液体からミストを発生するミスト発生機構と、前記ミスト発生機構で発生したミストを放出するミスト放出口と、前記ミスト放出口を覆うように開閉可能な開閉部材とを備えたミスト発生装置において、前記開閉部材が閉じられて前記ミスト放出口が前記開閉部材に覆われた場合に、前記ミスト放出口から放出されるミストを前記ミスト放出口とは異なるミスト排出口から排出するミスト排出手段を備えたことを特徴としている。
【０００７】
第２の発明は、第１の発明において、前記ミスト排出手段は、前記ミスト放出口から放出されるミストの進行方向を前記ミスト排出口へ向けるミスト誘導手段を有することを特徴としている。
【０００８】
第３の発明は、第２の発明において、前記ミスト誘導手段は、前記開閉部材が閉じられた場合に前記ミスト放出口から放出されるミストの放出方向を遮るとともに前記ミストの進行方向を前記ミスト排出口へ向ける遮蔽壁であることを特徴としている。
【０００９】
第４の発明は、第１〜第３の発明のうち何れか１つの発明において、前記ミストの排出方向は、使用者に向かう方向とは異なる方向であることを特徴としている。
第５の発明は、第１〜第４の発明のうち何れか１つの発明において、前記ミスト誘導手段は、前記開閉部材が閉じられた場合に前記ミスト放出口の側方を覆う側方壁を有することを特徴としている。
【００１０】
第６の発明は、第１〜第５の発明のうち何れか１つの発明において、前記ミスト排出口は、装置本体において前記ミスト放出口よりも使用者からみて後方に配設されていることを特徴としている。
【００１１】
第７の発明は、第１〜第６の発明のうち何れか１つの発明において、前記ミスト排出手段は、前記ミスト放出口から放出されるミストを前記ミスト排出口へ誘導するミスト排出経路を有し、前記ミスト排出経路は、前記開閉部材が閉じられた場合に、装置本体を覆うケース部材と前記開閉部材との間に形成されることを特徴としている。
【００１２】
第８の発明は、ミストを放出して肌表面の手入れを行う美容装置において、第１〜第７の発明のミスト発生装置のうち何れか１つのミスト発生装置を備えたことを特徴としている。
【発明の効果】
【００１３】
本発明によれば、装置本体に対する負荷を軽減できるミスト発生装置及び美容装置を提供することができる。
【図面の簡単な説明】
【００１４】
【図１】（ａ）、（ｂ）は、美容器を示す斜視図。
【図２】図１（ｂ）に示すＡ−Ａ線部分断面図。
【図３】美容器を示す正面図。
【図４】図１（ａ）、及び図３に示すＢ−Ｂ線部分断面図。
【図５】美容器の配管構成を示す模式図。
【図６】変形例における前方リブを示す部分断面図。
【発明を実施するための形態】
【００１５】
以下、本発明を美容器に具体化した実施形態を図面に従って説明する。なお、以下の説明において、「前（手前）」「後」「上」「下」「左」「右」は、美容器の使用者Ｐが、美容器を使用する際に美容器の正面に向いた状態を基準とした場合の「前（手前）」「後」「上」「下」「左」「右」を示すものとする。
【００１６】
図１は、本実施形態のミスト発生装置を備える美容装置としての美容器１０を示す。図１に示すように、有底略円筒状の本体ケース１１には美容器本体１２が収容されて固定されている。美容器本体１２において、上ハウジング１３の上面１３ａの前側中央部には、上方に開口する開口部１３ｂが形成されている。上ハウジング１３には、この開口部１３ｂと整合させて凹部１５を形成するベース部材１６が組み付けられている。本実施形態では、本体ケース１１、上ハウジング１３、及びベース部材１６がケース部材を構成している。
【００１７】
ベース部材１６には、美容器本体１２に対し所定角度（例えば、２５〜５５°）で矢印Ｙａ方向（上下方向）に回動可能となるように図示しない支持軸を介して、温ミストを放出（噴射）するミストノズル２０が取着されている。ミストノズル２０は、温ミストを放出するミスト放出口２１の周りを覆うように形成されたノズルカバー２２が一体形成されて構成されている。本実施形態では、ミストノズル２０を上下方向に回動させることで、ミスト放出口２１から放出される温ミストの放出方向ＹＭａを上下方向に調整可能となっている。放出方向ＹＭａは、ミスト放出口２１から使用者Ｐへ向かう方向となっている。
【００１８】
ノズルカバー２２においてミスト放出口２１の下方には、ノズルカバー２２の外面の法線方向に延びるように、端面視略Ｕ字状のミストガイド２３が立設されている。ミストガイド２３は、ミスト放出口２１の下方及び左右側方を囲うように形成されており、左右方向及び下方向から使用者Ｐの手指Ｆがミストノズル２０に接近することを防止するようになっている。ミストガイド２３の基端部であってミスト放出口２１の下方に対応する位置には、ミストガイド２３を上下方向に貫通する逃がし孔２３ａが設けられている。なお、図２に示すように、ミストノズル２０は、ミストノズル２０（ミストガイド２３の下面）が、ベース部材１６に形成された規制部２５に当接することにより下方への回動が規制されている。
【００１９】
また、図１に示すように、ベース部材１６においてミストノズル２０の後方には、ミストノズル２０を保護するための開閉部材としてのノズルガード２６が上下方向（矢印Ｙｂに示す）に回動可能に取着されている。ノズルガード２６は、ミストノズル２０（ミスト放出口２１）の上方を覆う閉位置（図１（ａ）に示す）と、ノズルガード２６の開位置（図１（ｂ）に示す）との間で上下方向に回動可能に構成されている。
【００２０】
図１〜図３に示すように、ノズルガード２６は、半円形の略平板状に形成されたガード基部材Ｇａの上面を覆うようにガード化粧部材Ｇｂが組みつけられることで構成されている。ガード基部材Ｇａの左右の両基端部２６ａは、ベース部材１６に対して回転可能に支持された回転軸Ｚ（図２に示す）に固定されている。ガード基部材Ｇａ（ノズルガード２６）の下面の略中央には、この下面から下方へ向かって平面視略Ｕ字状の遮蔽壁としての前方リブ２６ｂが垂下されている。また、ガード基部材Ｇａ（ノズルガード２６）の下面において、前方リブ２６ｂの左右側方には、この下面から下方へ向かって、前後方向に延びる一対の側方壁としての側方リブ２６ｃが垂下されている。
【００２１】
図３に示すように、ノズルガード２６を閉位置（閉じた状態）とした場合に、ノズルガード２６（ガード基部材Ｇａ）の前方リブ２６ｂは、ミストガイド２３の内側であってミストノズル２０（ミスト放出口２１）の前方を覆うように配設されている。また、ノズルガード２６を閉じた状態とした場合に、ノズルガード２６（ガード基部材Ｇａ）の各側方リブ２６ｃは、ミストガイド２３の左右側方を覆うように配設されている。すなわち、ノズルガード２６が閉位置に位置している状態において、ミストノズル２０（ミスト放出口２１）は、前方が前方リブ２６ｂに覆われるとともに、左右側方が側方リブ２６ｃ及びミストガイド２３によって覆われるようになっている。このため、本実施形態では、ノズルガード２６を閉位置とした場合に、ミストノズル２０（ミスト放出口２１）から放出される温ミストが前方及び側方に放出されないようになっている。
【００２２】
また、図１及び図４に示すように、ガード基部材Ｇａにおいて前方リブ２６ｂの後方には、ガード基部材Ｇａの上面と下面を貫通するとともに、前後方向に延びる略長方形状の貫通孔Ｋａが形成されている。貫通孔Ｋａの左右方向に沿った幅寸法は、前方リブ２６ｂの左右方向に沿った幅寸法と略同一寸法に設定されているとともに、その前側が前方リブ２６ｂに沿って半円形をなしている。また、貫通孔Ｋａは、前方リブ２６ｂからガード基部材Ｇａの後端部に亘って延設されている。そして、貫通孔Ｋａは、ガード化粧部材Ｇｂがガード基部材Ｇａの上面を覆うように組み付けられることで、ガード化粧部材Ｇｂの下面と共に排気凹部２６ｄを形成している。すなわち、ノズルガード２６の下面には、前方リブ２６ｂから後方へ延びる凹状に形成された排気凹部２６ｄが形成されていると把握することもできる。
【００２３】
また、ガード化粧部材Ｇｂにおいて、ガード基部材Ｇａの貫通孔Ｋａに対応する部位のうちその後端部には、ガード化粧部材Ｇｂの下面と上面とを連通するミスト排出口としての排気口２６ｅが形成されている。すなわち、排気凹部２６ｄにおいてノズルガード２６の基端部（後端部）側には、ノズルガード２６の下面と上面とを連通する排気口２６ｅが形成されていると把握することもできる。また、本実施形態において排気口２６ｅは、ノズルガード２６（ガード化粧部材Ｇｂ）において使用者Ｐから最も距離をおいたノズルガード２６の後方に形成されている。また、排気口２６ｅの左右方向に沿った幅寸法は、排気凹部２６ｄの幅寸法より僅かに小さい寸法に設定されている。
【００２４】
そして、図４に示すように、ノズルガード２６を閉位置（閉じた状態）とした状態において、ガード基部材Ｇａの下面は、ベース部材１６の上面１６ａに接触するようになっている。このため、ノズルガード２６を閉位置とした場合に、ノズルガード２６の排気凹部２６ｄ（ガード基部材Ｇａの貫通孔Ｋａ）の下側開口部は、ベース部材１６の上面１６ａによって覆われるようになっている。すなわち、本実施形態では、ノズルガード２６を閉位置に位置した状態とすることによって、ノズルガード２６（排気凹部２６ｄ）とベース部材１６（上面１６ａ）との間に、前方リブ２６ｂから排気口２６ｅへ温ミストを誘導するミスト排出経路Ｈが形成されるようになっている。本実施形態では、前方リブ２６ｂ、各側方リブ２６ｃ、及び排気凹部２６ｄがミスト排出手段を構成する。また、本実施形態では、前方リブ２６ｂ、及び各側方リブ２６ｃがミスト誘導手段を構成する。
【００２５】
また、図２に示すように、ノズルガード２６は、平板状の部材の中心線が所定の角度（屈曲角度Ｄ）で交差するように一体形成されたリンク部材３０によってミストノズル２０と連結されている。リンク部材の屈曲角度Ｄは鈍角（本実施形態では１３２°）に設定されている。リンク部材３０は、回転軸Ｚに固定されてノズルガード２６と一体に回動する第１リンク基台３１、及びミストノズル２０に形成された第２リンク基台３２に対してそれぞれ回動可能に組み付けられている。
【００２６】
このような構成により、図２に示す第２の可動範囲Ｈ２において、ミストノズル２０は、ノズルガード２６が回動操作された場合であっても、ミストノズル２０（ミストガイド２３の下面）が規制部２５に接触した状態を維持するようになっている。すなわち、ノズルガード２６は、第２の可動範囲Ｈ２において、ミストノズル２０から独立して動作可能に構成されている。
【００２７】
一方、図２に示す第１の可動範囲Ｈ１において、ミストノズル２０（ノズルカバ−２２）は、ノズルガード２６の回動動作に連動して中心軸線Ｘを回動中心として上下方向に回動する。このため、第１の可動範囲Ｈ１では、ノズルガード２６を回動操作することで、ミストノズル２０（ミスト放出口２１）からの温ミストの放出方向ＹＭａを調整することができるようになっている。なお、第１の可動範囲Ｈ１において、ノズルガード２６は、図示しない付勢手段によって、外力を付与しなくても回動位置を維持（保持）できるように構成されており、調整したミストノズル２０の回動位置（温ミストの放出方向ＹＭａ）を維持（保持）可能となっている。また、第１の可動範囲Ｈ１において、ノズルガード２６は、このノズルガード２６がミストノズル２０の上方に配置され、且つこのノズルガード２６（前方リブ２６ｂ）によって温ミストの放出が遮られない位置を維持するようになっている。このように、本実施形態のノズルガード２６は、美容器１０の不使用時においてミストノズル２０（ミスト放出口２１）を覆う蓋部材としての機能を有する。また、ノズルガード２６は、美容器１０の使用時において使用者Ｐの手指Ｆがミストノズル２０（ミスト放出口２１）に接近することを規制し、使用者Ｐを保護する保護具としての機能を有する。
【００２８】
また、ベース部材１６には、ノズルガード２６（ガード基部材Ｇａ）の基端部２６ａの回動状態を検知することで、ノズルガード２６が第１の可動範囲Ｈ１に位置していること検知する開閉検知センサＳＥ１が配設されている。開閉検知センサＳＥ１は、ノズルガード２６が第１の可動範囲Ｈ１にある場合に、開放信号を出力するようになっている。
【００２９】
また、図１に示すように、ノズルガード２６の後側には、ミストノズル２０から放出する温ミストを発生するのに使用される液体（本実施形態では、水）を、所定量（本実施形態では、約１００ｍｌ）貯蔵する給水タンク３３が、美容器本体１２に収容された状態で設置されている。給水タンク３３は、美容器本体１２に対し上下（垂直）方向に挿入及び取り出し可能に収納されている。
【００３０】
上ハウジング１３の上面１３ａにおいて、ミストノズル２０（ノズルガード２６）の左前方には、美容器１０の電源をオン及びオフする際に操作される電源ボタン３５が設けられている。また、上ハウジング１３の上面１３ａにおいて、ミストノズル２０の右前方には、複数種類用意された美容器１０の運転モードのうちから１つの運転モードを選択する際に操作されるモード切替ボタン３６が設けられている。また、上ハウジング１３の上面１３ａには、モード切替ボタン３６と前後方向に並ぶように、モード切替ボタン３６の操作によって選択された運転モードで美容器１０の運転開始させる際、及び運転停止をする際に操作される運転制御ボタン３７が設けられている。
【００３１】
美容器１０（本体ケース１１）の前面側において、上下方向の略中央には、静電霧化装置３８ａ（点線で示す）により液体を霧化させて発生させた帯電微粒子ミスト（帯電微粒子液体）を放出するための帯電微粒子ミスト放出口３８が設けられている。
【００３２】
次に、本実施形態の美容器本体１２（美容器１０）の配管構成（内部構造）について、図５にしたがって説明する。なお、図５に示す水面Ｗは、略一定に保たれるようになっている。
【００３３】
美容器本体１２には、美容器本体１２（上ハウジング１３）の上面１３ａに開口し、給水タンク３３を収納可能なタンクホルダ３３ａが設けられている。タンクホルダ３３ａには、空気抜き孔３３ｂが開口形成されている。また、タンクホルダ３３ａには、オーバーフロー孔３３ｃが設けられており、タンクホルダ３３ａ内の水位がオーバーフロー孔３３ｃの形成位置まで上昇した際に、タンクホルダ３３ａ内の水をタンクホルダ３３ａの外部に排出するようになっている。また、タンクホルダ３３ａの下端には、耐熱性を備えた弾性材料（例えば、シリコンゴムやフッ素ゴム）で形成された給水パイプＰ１の上流端が接続されているとともに、この給水パイプＰ１の下流端は、上下方向に延びる有底略円筒状に形成された貯留部４３の下端部に接続されている。給水パイプＰ１は、給水タンク３３から水を貯留部４３に供給する給水経路Ｋ１を形成している。また、給水パイプＰ１は、途中で分岐されるとともに、空気抜き孔３３ｂに接続されている。このため、本実施形態では、給水パイプＰ１内の空気（気泡）が空気抜き孔３３ｂを介してタンクホルダ３３ａに排出されるようになっている。
【００３４】
貯留部４３の底部には、貯留部４３の底部を２つの領域（空間）に区画するように、貯留部４３の内側底部から上方に延びる板状の仕切り壁４７が形成されている。そして、給水パイプＰ１は、貯留部４３の底部において、仕切り壁４７で区画された一方の底部に接続されている。また、貯留部４３の底部において、仕切り壁４７で区画された他方の底部は、供給された水を温ミストヒータ４２で加熱するための沸騰室４２ａの下端部と連通部４８により連通されている。連通部４８は、貯留部４３から沸騰室４２ａへ水を供給する給水経路Ｋ２を形成している。このため、本実施形態において、給水パイプＰ１を介して供給された比較的低温の水は、下端部から貯留部４３内に供給された後に仕切り壁４７に沿って上方へ移動し、貯留部４３内に貯留されている水と混合される。そして、本実施形態では、新たに供給された比較的低温の水と、既に貯留部４３内に貯留されている水とを混合した水が沸騰室４２ａに供給されるようになっている（矢印Ｙｄ，Ｙｅに示す）。
【００３５】
沸騰室４２ａは、上下方向に沿って立設された温ミストヒータ４２の加熱面４２ｂに沿って上下方向に延びる薄平板状に形成されている。温ミストヒータ４２は、例えばＰＴＣ（positive temperature coefficient ）素子からなる。連通部４８を介して沸騰室４２ａに供給された水は、沸騰室４２ａ内で温ミストヒータ４２により加熱され、温ミスト化されるようになっている。また温ミストヒータ４２には、温度センサＳＥ２が設けられている。
【００３６】
沸騰室４２ａの上端部の側方には、扁平な有底略円筒状に形成された下部温ミスト誘導部４６が連設されている。本実施形態では、下部温ミスト誘導部４６が下部温ミスト経路Ｍ１を形成している。下部温ミスト誘導部４６は、沸騰室４２ａで生成された水蒸気（温ミスト）を一時的に収容するとともに、ミストノズル２０が配設された上方へ誘導するようになっている（矢印Ｙｆで示す）。また、下部温ミスト誘導部４６の底面には、この下部温ミスト誘導部４６の底面に開口するように、前述した貯留部４３が連設されている。このため、本実施形態では、下部温ミスト誘導部４６の内部で結露により生じた水や、沸騰室４２ａで沸騰することに伴って飛散した水など、比較的高温（約８０〜１００℃）の水が下部温ミスト誘導部４６を介して貯留部４３へ還流されるようになっている（矢印Ｙｇで示す）。すなわち、温ミストの発生中（温ミストヒータ４２による加熱中）には、給水タンク３３、タンクホルダ３３ａ、及び給水パイプＰ１内の水と比較して、高温の水が貯留部４３に常時供給されることになる。このため、貯留部４３に貯留されている水は、給水タンク３３から新たに供給される水と比較して高温となる。このため、本実施形態では、沸騰室４２ａに対し予備的に加熱した温水を供給可能とし、給水パイプＰ１から供給される比較的低温（室温）の水を沸騰室４２ａに直接供給する場合と比較して、温ミストヒータ４２の加熱面４２ｂの温度低下を抑制し、温ミストの発生量が低下することを抑制できる。このように、本実施形態では、貯留部４３が還流路としても機能する。
【００３７】
また、本実施形態では、貯留部４３（還流路）及び沸騰室４２ａが平行に配置される一方で、連通部４８（給水経路Ｋ２）及び下部温ミスト誘導部４６（下部温ミスト経路Ｍ１）が平行に配置されている。すなわち、貯留部４３、連通部４８（給水経路Ｋ２）、沸騰室４２ａ、及び下部温ミスト誘導部４６（下部温ミスト経路Ｍ１）により、四角環状の管路が形成されている。
【００３８】
下部温ミスト誘導部４６の上端部には、下部温ミスト誘導部４６を通過した温ミストをさらに上方（ミストノズル２０）へ誘導するとともに、高圧放電により温ミストを微細化（イオン化）する放電部５０を備えた上部温ミスト誘導部５１が連設されている。上部温ミスト誘導部５１の下部（下部温ミスト誘導部４６の上部）には、上部温ミスト誘導部５１の底部を形成するとともに、下部温ミスト誘導部４６の底部と上部温ミスト誘導部５１の底部との間で段差（段違い構造）を形成する防止壁５３が設けられている。防止壁５３は、沸騰室４２ａから飛散する比較的高温の水が下部温ミスト誘導部４６より上方（ミストノズル２０側）へ直接侵入することを阻止するようになっている。このため、本実施形態では、沸騰室４２ａから飛散した比較的高温の水がミストノズル２０より放出されることを抑制している。
【００３９】
上部温ミスト誘導部５１内において防止壁５３の上部には、放電部５０が設けられている。放電部５０は、高電圧が印加される一対の放電針５０ａと、各放電針５０ａの間に配設される中間電極部５０ｂとから構成されている。放電部５０では、各放電針５０ａからの高圧放電によって温ミストが微細化される。
【００４０】
上部温ミスト誘導部５１の上端には、耐熱性を備えた弾性材料（例えば、シリコンゴムやフッ素ゴム）からなり、蛇腹状に形成された蛇腹部材５５の上流端（下端）が連結固定されている。また、蛇腹部材５５の下流端（上端）は、略円筒状に形成されたノズルホルダ５６に連結固定されている。ノズルホルダ５６は、ミストノズル２０（ノズルカバー２２）の内側であってミスト放出口２１の周囲に固着された略円環状のノズルパッキン５７に連結固定されている。このため、本実施形態では、下部温ミスト誘導部４６を通過した温ミストは、上部温ミスト誘導部５１、蛇腹部材５５によってミストノズル２０（ミスト放出口２１）へ誘導される（矢印Ｙｈで示す）。本実施形態では、上部温ミスト誘導部５１、蛇腹部材５５によって、温ミストヒータ４２により発生させた温ミストをミスト放出口２１へ誘導する上部温ミスト経路Ｍ２が形成されている。
【００４１】
本実施形態では、給水タンク３３、タンクホルダ３３ａ、及び給水パイプＰ１が給水機構部６２を構成し、貯留部４３（還流路）、沸騰室４２ａ、温ミストヒータ４２、及び下部温ミスト誘導部４６がミスト発生機構としての加熱機構部６０を構成する。また、本実施形態では、上部温ミスト誘導部５１、蛇腹部材５５、及びミストノズル２０（ミスト放出口２１）がミスト放出機構としてのミスト放出機構部６１を構成している。
【００４２】
次に、本実施形態の美容器１０の電気的構成について説明する。
図１に示すように、美容器本体１２には、美容器１０の動作を制御するための制御基板５８が設けられている。制御基板５８には、温ミストヒータ４２、静電霧化装置３８ａ、及び放電部５０が電気的に接続されている。また、制御基板５８には、電源ボタン３５、モード切替ボタン３６、及び運転制御ボタン３７が電気的に接続されている。また、制御基板５８には、開閉検知センサＳＥ１、及び温度センサＳＥ２が接続されている。また、制御基板５８には、美容器１０が水平面に載置されているか否かを検知する図示しない傾斜検知センサが接続されている。本実施形態の傾斜検知センサは、美容器１０の底面から下方に突出する検知片を備えるとともに、美容器１０が水平面に載置されることに伴って、検知片が美容器１０の自重により装置内部に押し込まれたことを検知し、検知信号を出力するように構成されている。
【００４３】
本実施形態の制御基板５８は、電源ボタン３５の押下操作によって電源投入がされると、初期運転モードとして帯電微粒子ミスト放出口３８から帯電微粒子ミストを放出させる「帯電微粒子モード」を初期設定する。また、制御基板５８は、モード切替ボタン３６が押下操作された際に出力する操作信号を入力する毎に、「帯電微粒子モード」と、温ミストをミストノズル２０（ミスト放出口２１）から放出させる「温ミストモード」とを切り替えて設定するようになっている。なお、制御基板５８は、開閉検知センサＳＥ１からの開放信号、及び傾斜検知センサからの検知信号の両信号が入力されていることを条件として、モード切替ボタン３６から操作信号を入力した際に、「温ミストモード」を設定するようになっている。すなわち、制御基板５８は、モード切替ボタン３６から操作信号を入力した場合であっても、開閉検知センサＳＥ１からの開放信号、及び傾斜検知センサからの検知信号の両信号を入力していない場合、「温ミストモード」を設定しないように構成されている。また、制御基板５８は、既に「温ミストモード」を設定している場合において、開閉検知センサＳＥ１からの開放信号及び傾斜検知センサからの検知信号のうち少なくとも何れか一方を入力しなくなった時点で、「帯電微粒子モード」を設定するようになっている。
【００４４】
制御基板５８は、帯電微粒子モードを設定している場合、運転制御ボタン３７が押下操作された際に出力する操作信号を入力すると、静電霧化装置３８ａを制御して帯電微粒子ミストを生成し、帯電微粒子ミスト放出口３８から放出させる。また、本実施形態の制御基板５８は、「温ミストモード」を設定している場合、運転制御ボタン３７から操作信号を入力すると、温ミストヒータ４２及び放電部５０に通電を開始して温ミストを生成するとともに、ミストノズル２０（ミスト放出口２１）から温ミストを放出させる。
【００４５】
また、制御基板５８は、温ミストヒータ４２及び放電部５０へ通電をしている場合であっても、開閉検知センサＳＥ１から開放信号が入力されなくなった時点で温ミストヒータ４２及び放電部５０への通電を停止（中止）する。すなわち、本実施形態の美容器１０では、温ミスト放出中であっても、ノズルガード２６が第１の可動範囲Ｈ１から第２の可動範囲Ｈ２又は閉位置へ回動されたことを契機に温ミストの生成及び放出を停止（中止）するようになっている。
【００４６】
同様に、制御基板５８は、温ミストヒータ４２及び放電部５０へ通電をしている場合であっても、傾斜検知センサから検知信号が入力されなくなった時点で温ミストヒータ４２及び放電部５０への通電を停止（中止）する。このため、本実施形態の美容器１０では、温ミスト放出中であっても、美容器１０が傾斜したり、水平面から浮き上がってしまったりしたことを契機に温ミストの生成及び放出を停止（中止）するようになっている。なお、この場合、制御基板５８は、上ハウジング１３に設けられた図示しない報知ランプ（例えばＬＥＤなど）を制御して異常状態である旨を報知する。
【００４７】
また、制御基板５８は、温度センサＳＥ２で計測した温ミストヒータ４２の表面温度が所定温度（例えば１２８℃）に達した場合、温ミストヒータ４２への通電を停止して空焚きを防止するようになっている。
【００４８】
次に、本実施形態の美容器１０の作用効果について説明する。
図４に示すように、ノズルガード２６を第１の可動範囲Ｈ１に回動させて温ミストをミスト放出口２１から放出させている場合に、使用者Ｐの手指Ｆが上方からノズルガード２６に触れて閉位置に回動させたとする。この場合には、制御基板５８の制御によって温ミストヒータ４２への通電が停止（中止）されるとともに、温ミストヒータ４２の加熱面４２ｂの温度が徐々に低下して温ミストの生成が終息するようになっている。しかしながら、この場合には、沸騰室４２ａに残存する水が温ミストヒータ４２の余熱によって加熱されることに伴って若干の温ミストが生成されるとともに、ミストノズル２０（ミスト放出口２１）から放出されることがある。
【００４９】
前述のように、ノズルガード２６が閉位置に位置している状態において、ミストノズル２０（ミスト放出口２１）は、ミスト放出口２１から放出される温ミストの放出方向ＹＭａとなる前方が前方リブ２６ｂに遮られる（覆われる）。また、ミストノズル２０（ミスト放出口２１）は、左右側方が側方リブ２６ｃ及びミストガイド２３によって覆われるようになっている。このため、ノズルガード２６が閉位置に位置している状態において、ミストノズル２０から放出された温ミストは、前方及び左右側方への進行が遮られるとともに、その進行方向がミストノズル２０の後方（排気口２６ｅ）へ向けられるように誘導される（矢印Ｙｉに示す）。そして、温ミストは、ミスト排出経路Ｈ（排気凹部２６ｄ）を通過するとともに、排気口２６ｅから上方向となる排出方向ＹＭｂに向かって排出されるようになっている（矢印Ｙｊに示す）。この排出方向ＹＭｂは、ミストノズル２０（ミスト放出口２１）からの放出方向ＹＭａ（図１（ｂ）に示す）とは異なる方向に設定され、且つ使用者Ｐ（手指Ｆ）へ向かう方向とは異なる方向とされている。
【００５０】
したがって、本実施形態によれば、以下に示す効果を得ることができる。
（１）ノズルガード２６を閉位置とした状態において、ミスト放出口２１から放出される温ミストをこのミスト放出口とは異なる（別の）排気口２６ｅから排出するようにした。このため、本実施形態では、美容器１０の美容器本体１２に対する負荷を軽減できる。
【００５１】
（２）特に、本実施形態の各温ミスト経路Ｍ１，Ｍ２は、下部温ミスト誘導部４６、上部温ミスト誘導部５１、及び蛇腹部材５５を組み付けて形成されている。このため、ミスト放出口２１がノズルガード２６によって覆われることに伴って、各温ミスト経路Ｍ１，Ｍ２の内圧が上昇することで、各部材の接合部分（組付箇所）や、弾性材料からなる蛇腹部材５５に対して負荷を与えてしまう虞がある。しかしながら、本実施形態では、ノズルガード２６を閉位置とした状態において排気口２６ｅから温ミストを排出することで各温ミスト経路Ｍ１，Ｍ２の内圧の上昇を抑制し、美容器１０の美容器本体１２に対する負荷を軽減できる。
【００５２】
（３）前方リブ２６ｂ、各側方リブ２６ｃ、及びミスト排出経路Ｈ（排気凹部２６ｄ）を設け、ミスト放出口２１から放出される温ミストを排気口２６ｅへ誘導するようにした。このため、ミスト放出口２１から放出される温ミストを排気口２６ｅへ誘導し、速やかに排気させることができる。
【００５３】
（４）前方リブ２６ｂを設け、ノズルガード２６が閉位置とされた状態においてミストの放出方向ＹＭａを遮るとともに温ミストの進行方向を排気口２６ｅへ向けるようにした。したがって、ミスト放出口２１から放出される温ミストを排気口２６ｅへ誘導し、速やかに排気させることができる。
【００５４】
（５）排気口２６ｅからのミストの排出方向ＹＭｂは、上方向とされており、使用者Ｐへ向かう方向とは異なる方向に設定されている。このため、ノズルガード２６が閉位置とされた状態において、使用者Ｐの手指Ｆが排気口２６ｅから排出される温ミストに触れることを好適に抑制できる。
【００５５】
（６）ミスト放出口２１の側方を覆う各側方リブ２６ｃを設けた。このため、ノズルガード２６を閉位置とした状態において、ミスト放出口２１から放出される温ミストが側方から漏れ出ることを抑制できるとともに、排気口２６ｅへ向けて誘導することができる。
【００５６】
（７）排気口２６ｅを美容器１０（美容器本体１２）においてミスト放出口２１より後方に設けた。このため、ノズルガード２６を閉位置とした状態において、使用者Ｐの手指Ｆが排気口２６ｅから排出された温ミストに触れることを抑制しつつ、温ミストを排出させることができる。
【００５７】
（８）ノズルガード２６を閉位置とした状態において、ノズルガード２６の排気凹部２６ｄとベース部材１６の上面１６ａとによりミスト排出経路Ｈを形成するようにした。このため、ノズルガード２６及びベース部材１６の何れかに管状のミスト排出経路Ｈを形成する場合と比較して構成を簡略化することができる。
【００５８】
（９）ガード基部材Ｇａ及びガード化粧部材Ｇｂを組み合わせることによって、排気凹部２６ｄを形成するようにした。このため、ガード基部材Ｇａに排気凹部２６ｄの天井部を形成する場合と比較して、製造コスト（材料の使用重量）を削減できるとともに、ガード基部材Ｇａ（ノズルガード２６）の厚み寸法が増大することを回避できる。
【００５９】
（１０）ノズルガード２６を設けることにより、使用者Ｐの手指Ｆがミスト放出口２１に近接した位置で温ミストに触れることを抑制することができる。
なお、上記実施形態は、以下の様に変更してもよい。
【００６０】
・上記実施形態において、図６に示すように、前方リブ２６ｂをベース部材１６の凹部１５に形成してもよい。この場合、前方リブ２６ｂは、ノズルガード２６が第１の可動範囲Ｈ１に位置している場合に、温ミストの放出方向を遮らない高さに設定する。このように構成しても、美容器１０の美容器本体１２に対する負荷を軽減できる。
【００６１】
・上記実施形態において、排気口２６ｅの大きさ、位置、形状は適宜変更してもよい。すなわち、排気口２６ｅは、排気凹部２６ｄに対応させて、ノズルガード２６の上面と下面（排気凹部２６ｄの天井面）とを連通するように形成されておればよい。
【００６２】
・上記実施形態において、排気口２６ｅは、２つ以上設けてもよい。
・上記実施形態において、排気凹部２６ｄの大きさや形状を適宜変更してもよい。例えば、前方リブ２６ｂから、ノズルガード２６の左右の両基端部２６ａへ向けて二つに分かれて延びるように形成してもよい。この場合、各排気凹部２６ｄに排気口２６ｅを設ける。また、排気凹部２６ｄは、蛇行するように形成してもよい。
【００６３】
・上記実施形態において、ミスト排出経路Ｈは、ノズルガード２６、及びベース部材１６の何れか一方に形成してもよい。
・上記実施形態において、排気口２６ｅは、異なる部分に形成してもよい。例えば、上ハウジング１３においてベース部材１６の側方や、本体ケース１１の側面などに設けてもよい。すなわち、排気口２６ｅは、この排気口２６ｅからの温ミストの排出方向ＹＭｂが使用者Ｐに向かう方向とは異なる方向（向かわない方向）となるように形成すればよい。この場合、前方リブ２６ｂから排気口２６ｅまで延びるようにミスト排出経路Ｈを形成する。なお、この場合、排気口２６ｅは、ミスト放出口２１よりも前側に配設されていてもよい。
【００６４】
・上記実施形態において、ノズルガード２６は、ガード基部材Ｇａ及びガード化粧部材Ｇｂを一体に形成してもよい。また、３以上の部材に分けて形成した後に組み付けるようにしてもよい。
【００６５】
・上記実施形態において、ミストガイド２３は省略してもよい。
・上記実施形態において、本体ケース１１、上ハウジング１３、及びベース部材１６の一部又は全部を一体に形成してもよい。
【００６６】
・上記実施形態では、温ミストヒータ４２にて水（他の液体でも可）を沸騰させて温ミストを生成する構成としたが、超音波振動にて液体をミスト化する装置や静電霧化装置を用いてミスト化する装置等を用い、温ミストを生成してもよい。
【００６７】
・上記実施形態では、温ミストが放出されるミストノズル２０を一つ設けたが、ミストノズルを二つ以上設けるようにしてもよい。このとき、温ミストが放出される温ミストノズルを複数設けるようにしてもよいし、冷ミストが放出される冷ミストノズルを複数設けるようにしてもよい。また、一つ又は複数の温ミストノズルと一つ又は複数の冷ミストノズルとを設けるようにしてもよい。
【００６８】
・上記実施形態において、ミストノズル２０から温ミストに代えて冷ミストを放出するように構成してもよい。
・上記実施形態において、静電霧化装置３８ａ、及び帯電微粒子ミスト放出口３８を省略してもよい。
【００６９】
・上記実施形態の美容器１０において、ミストノズル２０と併せて、マイナスイオンやプラスイオンなどを放出するノズルや、保湿剤や美白剤などの薬剤を放出するノズルなどを設けるようにしてもよい。
【００７０】
・上記実施形態において、温ミストヒータ４２で加熱して温ミストを生成するための液体として、保湿剤や美白剤などを含む液体や、芳香剤を含む液体を給水タンク３３に貯留するようにしてもよい。
【符号の説明】
【００７１】
１０…美容器（ミスト発生装置、美容装置）、１１…本体ケース（ケース部材）、１３…上ハウジング（ケース部材）、１６…ベース部材（ケース部材）、２０…ミストノズル、２１…ミスト放出口、２６…ノズルガード（開閉部材）、２６ｂ…前方リブ（ミスト排出手段、ミスト誘導手段、遮蔽壁）、２６ｃ…側方リブ（側方壁）、２６ｄ…排気凹部（ミスト排出手段）、２６ｅ…排気口（ミスト排出口）、６０…加熱機構部（ミスト発生機構）、Ｈ…ミスト排出経路、Ｐ…使用者、ＹＭａ…放出方向、ＹＭｂ…排出方向。
【図１】
2011200569.tif 000003
【図２】
2011200569.tif 000004
【図３】
2011200569.tif 000005
【図４】
2011200569.tif 000006
【図５】
2011200569.tif 000007
【図６】
2011200569.tif 000008